(57)【要約】【課題】前板の前後方向の取付位置が調整でき、容易に且つ精度よく引出しを収納可能とした収納家具を提供することを課題とする。【解決手段】前方に開口した収納庫１３内に前後に引出し自在に収納される引出し１４と、該引出しの前面に配置され前記収納庫の開口部１３ａを閉塞する前板５と、底部７とを備えた収納家具４であって、前記引出しの側部は線材６で構成され、前記前板と前記底部とは、前記前板に連結される前板側連結片８０及び前記底部に連結される底部側連結片８１を有し、略直角に折曲形成されたＬ字型連結具８によって連結されており、前記底部或いは前記底部側連結片のいずれか一方には前後方向に長い調整孔８１ａが形成されていることを特徴とする。【選択図】図１
2010172354.tif 000002
【特許請求の範囲】
【請求項１】
前方に開口した収納庫内に前後に引出し自在に収納される引出しと、該引出しの前面に配置され前記収納庫の開口部を閉塞する前板と、底部とを備えた収納家具であって、
前記引出しの側部は線材で構成されており、
前記前板と前記底部とは、前記前板に連結される前板側連結片及び前記底部に連結される底部側連結片を有し略直角に折曲形成されたＬ字型連結具によって連結され、前記底部或いは前記底部側連結片のいずれか一方には、前後方向に長い調整孔が形成されていることを特徴とする収納家具。
【請求項２】
請求項１において、
前記前板は、上部前板と該上部前板より下後方に配置される下部前板とに分かれて構成されており、前記上部前板の下端部と前記下部前板の上端部とは、角部が略直角に折曲形成されたＺ字型連結具によって連結されていることを特徴とする収納家具。
【発明の詳細な説明】
【技術分野】
【０００１】
本発明は、住居等の建物のリビングやダイニングスペース等の居室空間、或いはキッチンや洗面化粧台、玄関等に設置される引出しを備えた収納家具に関する。
【背景技術】
【０００２】
収納家具としては、前方に開口した矩形の収納庫内に前後に引出し自在に収納される箱型引出しを備え、収納庫の開口部は引出しの前面に配置される前板によって閉塞されるよう構成されたものが知られている。
下記特許文献１には、上述のような収納家具における引出しの構造が開示されており、これによれば前板と巾木とを連結する連結具の取付け高さ位置を変更するだけで、前板の上端から巾木の下端までの高さ寸法が異なる引出し手前部を構成することができるとされている。
【先行技術文献】
【特許文献】
【０００３】
【特許文献１】特開２００２−２５３３７５号公報
【発明の概要】
【発明が解決しようとする課題】
【０００４】
収納家具の引出しの構造としては、上記特許文献１に記載のもののように方形の側板で構成され、該側板によって前板を支持する構造の他、引出しの側部などを線材で構成し、前板を線材で支持する構造とした収納家具も知られている。
収納家具に線材が用いられる構造とした場合は、側板で前板を支持する場合と異なり、線材を折曲加工する際に直角に折曲したり、正確な寸法を出すなど作りこみに手間がかかり、線材に荷重がかかると歪みが生じてしまう場合があるが、線材を折り曲げる際に直角や寸法を正確に出さないと前板と収納庫の開口部との間に隙間が生じるなど弊害がでてしまう。そこで線材が構成された引出しであっても、容易に且つ精度よく前板が取付けられるものが求められている。
【０００５】
本発明は、上記実情に鑑みなされたものであり、引出しの前板を容易に且つ精度よく取付け可能とした収納家具を提供することを課題とする。
【課題を解決するための手段】
【０００６】
請求項１の発明に係る収納家具は、前方に開口した収納庫内に前後に引出し自在に収納される引出しと、該引出しの前面に配置され前記収納庫の開口部を閉塞する前板と、底部とを備えた収納家具であって、前記引出しの側部は線材で構成され、前記前板と前記底部とは、前記前板に連結される前板側連結片及び前記底部に連結される底部側連結片を有し、略直角に折曲形成されたＬ字型連結具によって連結されており、前記底部或いは前記底部側連結片のいずれか一方には前後方向に長い調整孔が形成されていることを特徴とする。
【０００７】
これによれば、引出しの側部が線材で構成されたものであっても、Ｌ字型連結具によって、前板を底部に対して略垂直状態に配置させることができる。また底部或いはＬ字型連結具の底部側連結片のいずれか一方には前後方向に長い調整孔が形成されているので、底部に対してＬ字型連結具を介して前板を取付ける際に調整孔で前後方向の取付位置を調整することができる。よって前板の前後方向の取付位置を調整しながら、容易に且つ精度よく前板を取付けることができるので、収納庫の開口部と前板端部との間に隙間が生じることがなく、隙間を通じて引出し内に虫や埃などが侵入することを防ぐことができる。
【０００８】
また本発明は請求項２の発明のように、前板は、上部前板と該上部前板より下後方に配置される下部前板とに分かれて構成されており、前記上部前板の下端部と前記下部前板の上端部とは、角部が略直角に折曲形成されたＺ字型連結具によって連結されているものとしてもよい。
これによれば、前板が上部前板と下部前板とに分かれて構成されている場合、上部前板と下部前板とを平行に配置させることができる。また上部前板と下部前板とをＺ字型連結具によって互いを連結させればよいだけなので、施工が容易である。
【発明の効果】
【０００９】
本発明に係る収納装置によれば、Ｌ字型連結具の調整孔によって前板の前後方向の取付位置を調整しながら取付けることができる。よって、引出しの前板を容易に且つ精度よく取付けることができ、収納庫の開口部と前板端部との間に隙間が生じることないので、その隙間を通じて引出し内に虫や埃などが侵入することを防ぐことができる。
【図面の簡単な説明】
【００１０】
【図１】本発明に係る収納家具の一実施形態を模式的に示す概略側面図である。
【図２】（ａ）、（ｂ）は、同収納家具の構成部材の例を説明する図であり、（ａ）はＺ字型連結具の斜視図、（ｂ）はＬ字型連結具の斜視図である。
【図３】同収納家具の構造を説明するための要部概略斜視図である。
【図４】同収納家具を用いたシステムキッチンのフロアユニットの一例を模式的に示す概略斜視図である。
【図５】同実施形態の変形例を示す要部拡大断面図である。
【発明を実施するための形態】
【００１１】
本実施形態に係る収納家具１は、図４に示すように、いわゆるシステムキッチンにおいて床側に設置されるフロアユニット１の一部に組み込まれ、該フロアユニットの一部を構成するキッチン用の引出しキャビネット４に適用した例を示している。
フロアユニット１の上面は、カウンター１１が設けられており、カウンター１１には、シンク２とコンロ３が設けられている。
カウンター１１の下方は、扉式或いは引出し式の収納庫を並設して構成され、調理器具や調味料などが収納できるキャビネット１２になっている。
カウンター１１のカウンター本体１１ａは人造大理石或いはステンレスなどからなり、調理台などとして使用される。シンク２はエポキシ系樹脂、人造大理石或いはステンレスなどからなり、野菜や食器、布巾などを洗ったりする場所として使用される。コンロ３は３口の電磁調理器（ＩＨヒータ）で構成された例を示しているが、２口であってもよいし、ガス調理器としてもよい。
【００１２】
引出しキャビネット４は、図１に示すように、前方に開口した箱状の収納庫１３と、収納庫１３内に前後に引出し自在に収納される引出し１４と、引出し１４の前面に配置され収納庫１３の開口部１３ａを閉塞する前板５と、底部に設けられたレール部材７とを備えている。図中５ａは前板５に設けられた取っ手である。
引出しキャビネット４の収納庫１３は、一升瓶など高さのあるものが収容できるよう縦長の方形状に構成され、収納庫１３内に引出し自在に収納される引出し１４には、上下２段のトレイ６０が設けられている。上段のトレイ６０には調味料などの小瓶などが収納できるようになっており、下段のトレイ６０には一升瓶やワインなど細長形状のものが収納できるようになっている。引出し１４の側部は線状の金属材などからなる線材６で構成され、線材６は上述のトレイ６０を保持するよう折曲形成されている。図中６ａの線材は、ストッパー線材であり、例えば引出し１４を前後方向に出し入れする際などに収納物が傾いた場合でも、ストッパー線材６ａが収納物の倒れをガードし、収納庫１３の内側面に当たらないようにすることができる。収納庫１３の開口部１３ａを閉塞する前板５は、上部前板５０と該上部前板５０より下後方に配置される下部前板５１とに分かれて構成されており、下部前板５が上部前板５０より下後方（奥側）に配置されていることにより、フロアユニット１の蹴込みを形成し、作業性がよいものとなっている。
【００１３】
収納庫１３の両側板の下方内側面には、引出し１４を引出し自在とするための固定レール（不図示）が設けられており、該固定レールと組み合わされてスライド自在となる可動レールが収納庫１３内の底部に設けられている。そして該可動レールの上に被せられるように設けられたレール部材７の上に引出し１４が取付固定されることにより、引出し１４を収納庫１３内に前後に引出し自在とすることができる。
【００１４】
下部前板５１とレール部材７とは、下部前板５１に連結される前板側連結片８０及び、底部を構成するレール部材７に連結される底部側連結片８１を有したＬ字型連結具８によって連結されている。
Ｌ字型連結具８は、金属材或いは硬質樹脂材などからなり、図２（ｂ）に示すように角部８ａが略直角に折曲形成され、前板側連結片８０及び底部側連結片８１にはねじなどの固定具１０が挿入される挿通孔８０ａ、８１ａがそれぞれに２個ずつ形成されている。底部側連結片８１に形成されている挿通孔８１ａは、前後方向に長い細長の調整孔となっており、下部前板５１が取付けられたＬ字型連結具８の取付位置を前後方向に調整可能としている（図２（ｂ）矢印参照）。
なお、前後方向に長く形成される調整孔は、図２（ｂ）のように底部側連結片８１に形成したものに限定されず、レール部材７側に形成してもよい。レール部材７側に形成した例については後に説明する。
【００１５】
上部前板５０の下端部５０ｂと下部前板５１の上端部５１ａとは、Ｚ字型連結具９によって連結されている。
Ｚ字型連結具８は、上部前板５０と上部前板５０より下後方に配置される下部前板５１との位置関係を決める水平片９１と、該水平片９１の一端に連設され上部前板５０と連結される上部前板側連結片９０と、該水平片９１の他端に連設される下部前板側連結片９２とを有し、金属材或いは硬質樹脂材などからなり、図２（ａ）に示すように角部９ａが略直角に折曲形成されている。上部前板側連結片９０及び下部前板側連結片９２にはねじなどの固定具１０が挿入される挿通孔９０ａ、９２ａがそれぞれに２個ずつ形成されている。上部前板側連結片９０に形成されている挿通孔９０ａは、上下方向に長い縦長の調整孔となっており、これによって上部前板５０の取付位置の高さ調整を可能としている（図２（ａ）矢印参照）。
なお図示していないが、上下方向に縦長に形成される調整孔は、図２（ａ）のように上部前板側連結片９０に形成したものに限定されず、下部前板側連結片９２に形成したものとしてもよい。
【００１６】
次に図１のＸ部拡大断面図及び図３を参照しながら、前板５の取付要領を説明する。なお図１のＸ部拡大断面図は、説明のため要部のみを概略的に断面図で示したものである。
まず、下部前板５１の裏面側所定位置にＬ字型連結具８を配置し、前板側連結片８０の挿通孔８０ａに固定具１０を挿入し、前板側連結片８０を下部前板５１に固着する。このとき、下部前板５１の裏面側に、前板側連結片８０の挿通孔８０ａに挿入される固定具１０の螺入位置をマーキング或いは下穴を形成しておけば、前板側連結片８０を精度よく取付けることができる。
そしてＬ字型連結具８が固着された下部前板５１をレール部材７に対して垂直に配置した状態で、底部側連結片８１の挿通孔８１ａ（調整孔）に固定具１０を挿入して、底部側連結片８１をレール部材７に固着する。このとき、底部側連結片８１の挿通孔８１ａは前後方向に長く形成されているので、Ｌ字型連結具８の取付位置を仮止めの状態で、前後方向に微調整することができる。すなわち、固定具１０をレール部材７に螺入した状態でＬ字型連結具８を前後方向に動かすことができるので、下部前板５１とレール部材７との配置関係を調整しながら、下部前板５１を所定の位置に取付けることができるのである。
Ｌ字型調整具８の取付位置を調整した後、挿通孔８１ａに挿通した固定具１０を螺入していけば下部前板５１とレール部材７とを強固に且つレール部材７に対して下部前板５１を垂直に取付けることができる。
【００１７】
次にＺ字型連結具９を用いて上部前板５０を取付ける。
まずは下部前板５１の裏面側所定位置、すなわち下部前板５１の上端部５１ａの裏面側に下部前板側連結片９２を配置し、挿通孔９２ａに固定具１０を挿入して下部前板５１にＺ字型連結具９の下部前板側連結片９２を固着する。このとき、下部前板５１の裏面側に、下部前板側連結片９２の挿通孔９２ａに挿入される固定具１０の螺入位置をマーキング或いは下穴を形成しておけば、下部前板側連結片９２を精度よく取付けることができる。
そしてＺ字型連結具９の上部前板側連結片９０に上部前板５０を固着する。このとき、上部前板５０は、その下端部５０ｂが上部前板側連結片９０の角部９ａに沿うように配置され、この状態で上部前板側連結片９０の挿通孔９０ａ（調整孔）に固定具１０を挿入し、上部前板側連結片９０に上部前板５０を固着する。
上部前板側連結片９０の挿通孔９０ａは、上下方向に長く形成されているので、上部前板５０の取付位置の高さを仮止めの状態で、微調整することができる。
こうして、引出し１４の上部前板５０及び下部前板５１を容易に精度よく取付けることができる。
【００１８】
なお、前板５の取付要領は上述の要領に限定されるものではなく、施工のしやすい手順を採用することができる。また、挿通孔８１ａに挿通された固定具１０は、図１のＸ部拡大断面図に示すようにレール部材７を貫通して固着される例に限らず、後記する図５の変形例に示すように固定具１０をボルトとし、レール部材７側を貫通した固定具１０の先端部をナットで締結してもよい。これによれば、レール部材７にＬ字型連結具８を強固に取付けることができ、前板５を安定的に取付けることができる。
このようにまずはＬ字型連結具８によって底部を構成するレール部材７に精度よく下部前板５１を取付けることができ、該下部前板５１の位置決めが的確になされた上で、その上方に設けられる上部前板５０をＺ字型連結具９によって互いに平行に取付けることができる。よって、引出し１４を収納庫１３に収納すると、上部前板５０の上端部５０ａと収納庫１３の開口部１３ａにおける上方端部１３ｂとの間に隙間が生じてしまうことがない。またＺ字型連結具９の水平片９１の存在により、前部前板５０と下部前板５１との間の寸法に誤差が生じることがない。そして図例のように引出し１４の側部が線材で構成され、且つ安定感に劣る縦長の方形状引出し１４であっても、上述のように隙間を生じさせることのないものとすることができるので、フロアユニット１に組込まれた際には図４に示すように他のキャビネットと調和して全体として美しい外観を備えたものとなる。またＬ字型連結具８及びＺ字型連結具９の存在により、線材のみで前板５を支持する場合と比べて剛性を確保でき、従来のもののように線材６を折曲加工する際に正確な寸法精度が求められることがなくなる。
【００１９】
図５は上述の実施形態の変形例であり、Ｘ部拡大断面図に相当する図である。
図１〜図３に示す例とは、前後方向に長い挿通孔がレール部材７側に形成されている点で異なる。その他の構成は上述の例と同様であり、Ｚ字型連結具９など共通する部分には共通の符号を付し、共通する部分の説明を省略する。
図５の例では、Ｌ字型連結具８の底部側連結片８１には前板側連結片８０と同じ大きさの挿通孔８１ａが形成されており、底部側連結片８１の下方に配置されるレール部材７側に前後方向に長い挿通孔７ａ（調整孔）が形成されている。
この場合、固定具１０としてはレール部材７と底部側連結片８１とを強固に固着可能とするため、ボルト（１０）とナット１０ａが好適に用いられる。よって固定具１０をレール部材７の下面側から挿通孔７ａに挿入し、レール部材７の上面に配置された底部側連結片８１の挿通孔８１ａを貫通し、貫通した固定具１０の先端部をナット１０ａで締結する。
この例においても、レール部材７に前後方向に長く形成された挿通孔７ａが形成されているので、下部前板５１が固着されたＬ字型連結具８の取付位置を仮止めの状態で、前後方向に微調整することができる。
【００２０】
以上、本発明の実施形態としてシステムキッチンに適用した例を説明したが、本発明はこれに限らず、例えば、住居等の建物のリビングやダイニングスペース等の居室空間、或いはキッチンや洗面化粧台、玄関等に設置される収納家具にも適用可能である。またフロアユニット１、引出しキャビネット４、前板５、レール部材７などの構成、形状は図例のものに限定されず、例えば前板５は一枚の前板からなるものにも採用できる。この場合はＺ字型連結具９を要することなく、Ｌ字型連結具８のみで前板５を精度よく取付けることができる。更にここでは縦長の引出しキャビネット４を示しているので、収納空間を確保するために可動レール及びレール部材７が底部に設けられた場合を説明したが、これに限定されずＬ字型連結片８の底部側連結片８１と固着される底部は引出し１４の底板であってもよい。
そしてＬ字型連結具８及びＺ字型連結具９が一部材からなり、前板５の幅方向に沿って形成された例を説明したが、これに限定されず前板５の裏面を両側から支持するように分割して構成されるものであってもよい。
【符号の説明】
【００２１】
４      引出しキャビネット（収納家具）
１３      収納庫
１３ａ      開口部
１４      引出し
５      前板
５０      上部前板
５０ｂ      下端部
５１      下部前板
５１ａ      上端部
６      線材
７      レール部材（底部）
８      Ｌ字型連結具
８０      前板側連結片
８１      底部側連結片
８１ａ      挿通孔（調整孔）
９      Ｚ字型連結具
９０      上部前板側連結片
９０ａ      挿通孔（調整孔）
９２      下部前板側連結片
【図１】
2010172354.tif 000003
【図２】
2010172354.tif 000004
【図３】
2010172354.tif 000005
【図４】
2010172354.tif 000006
【図５】
2010172354.tif 000007